(57)【要約】【課題】　所望のコーナーキューブパターンを得る。【解決手段】　コーナーキューブ逆反射体を伸張させることによってコーナーキューブ逆反射パターンを改変する。この伸張は、一般的に加熱を伴う、非弾性的な伸張によって、または、制御された伸張機構を使用する弾性的な伸張によって永久的なものとすることができる。【選択図】　　　図１
2004133453.tif 000002
【特許請求の範囲】
【請求項１】
　複数のコーナーキューブ逆反射体を有する改変された逆反射性スクリーンを製造する方法であって、
　複数のコーナーキューブ逆反射体を有するウェブを用意する段階と、
　前記コーナーキューブ逆反射体の形状を変化させるように、前記ウェブに対して少なくとも１つの方向において張力を加える段階
とを含む方法。
【請求項２】
　複数のコーナーキューブ逆反射体を有する逆反射性スクリーンから様々な反射画像形状を提供する方法であって、
　複数のコーナーキューブ逆反射体を有するウェブを用意する段階と、
　前記複数のコーナーキューブ逆反射体の形状を調整することが可能であるように、少なくとも１つの方向において前記ウェブに対して加えられる張力の量を調整する段階
とを含む方法。
【請求項３】
　逆反射画像を投射するシステムであって、
　複数のコーナーキューブ逆反射体を有する逆反射性スクリーンと、
　前記複数のコーナーキューブ逆反射体の形状を調整することが可能であるように、調整された量の張力を少なくとも１つの方向において前記スクリーンに対して加える張力付与装置と、
　目視者による目視のために前記逆反射性スクリーン上に立体視画像を投射する１対のプロジェクタ
とを含むシステム。
【請求項４】
　複数の改変されたコーナーキューブ逆反射体を有する改変された逆反射性ウェブを製造する装置であって、
　複数のコーナーキューブ逆反射体を有する材料ウェブを保持する第１の供給ロールと、
　前記第１の供給ロールから前記ウェブを受け取る第２の巻取りロールと、
　前記改変されたコーナーキューブ逆反射体が形成されるように前記ウェブに張力を加えるために、第１の速度で前記第１の供給ロールにおいて前記ウェブを動かし、かつ、より高速の第２の速度で前記第２のロールにおいて前記ウェブを動かす駆動機構
とを含む装置。
【請求項５】
　複数のコーナーキューブ逆反射体を有する改変された逆反射性スクリーンを製造する装置であって、
　複数のコーナーキューブ逆反射体を有する材料のシートを保持する保持機構と、
　前記コーナーキューブ逆反射体の形状を変化させるように、少なくとも１つの方向において前記シート上に張力を加える張力付与機構
とを含む装置。
【請求項６】
　炉の中に入れられるように設計されている、複数の改変されたコーナーキューブ逆反射体を有するシートを製造する装置であって、
　前記シートを保持する保持機構と、
　前記コーナーキューブ逆反射体の形状を変化させるように、少なくとも１つの方向において前記シート上に張力を加える張力付与機構
とを含む装置。
【発明の詳細な説明】
【技術分野】
【０００１】
　本発明は、コーナーキューブ逆反射性物品（cube-corner retroreflective article）に関し、特に、そのコーナーキューブ逆反射性物品を伸張させることによって改変されるコーナーキューブ逆反射性物品に関する。
【背景技術】
【０００２】
　真の逆反射体からの光線は、その当初の光線に対して平行に光源に向かって戻っていくように方向付けられる。逆反射体（又は再帰性反射体）を含む幾つかの応用例は、有効であるために、その物品から出ていく光が入射角から発散することを必要とする。例えば、前進する車両のヘッドライトからの光は、逆反射性標識によって反射されて車両に向けて戻されるが、このヘッドライトの光ビームの光軸から外れた位置にいる運転者の目に到達するためには、この光は逆反射性標識から出ていく時に十分に発散しなければならない。従来のコーナーキューブ逆反射性物品では、逆反射される光のこうした円錐状の拡散は、コーナーキューブ逆反射性要素の欠陥（例えば、面の非平坦性や、複数の面が互いに垂直な位置から偶発的に傾斜していることなど）と、３つの反射面の基部端縁によって画定されている開口の中を通過する逆反射光が存在するために生じさせられる回折とによって引き起こされる（Ｓｔａｍｍの米国特許第３，７１２，７０６号を参照されたい）。
【０００３】
　しかし、コーナーキューブからの光の拡散は様々な重大な欠陥を有する。すなわち、逆反射された光の円錐が、反射光が光軸からより遠く外れて見えることを必要とする多くの用途にとっては狭すぎる場合が多く、また、コーナーキューブ反射性要素の三面性が、逆反射された光の円錐に望ましくない非対称の形状を与える。Ｔａｎａｋａの米国特許第３，８１７，５９６号が、コーナーキューブ逆反射性要素の面を垂直性または直交性を失うように故意に傾斜させることによってコーナーキューブ逆反射性物品からの光線の発散または拡散を増大させる。
【０００４】
　米国特許第３，８１７，５９６号に開示されている光の拡散は、逆反射によって物品を目視できる目視角度を増大させるが、コーナーキューブ逆反射性要素の３面性によって生じる基本的な非対称性を回避するための努力は払われていない。
【０００５】
　Ｈｅｅｎａｎの米国特許第３，８３３，２８５号が、特に、列の形に配置されている１組の特殊なコーナーキューブ逆反射性要素をコーナーキューブ逆反射性物品の中に組み込むことによって、そのコーナーキューブ逆反射性物品からの光の発散または拡散をそれぞれ異なる仕方で変化させる。これらの特殊なコーナーキューブ逆反射性要素の各々においては、その面のうちの２つの面が、コーナーキューブ逆反射性要素の列の長さに沿って位置合せされている直線の形で交差し、この２つの面の交差における二面角が、従来の９０度を超えて、例えば９０度３０分に増大させられ、この結果として、この列の中のコーナーキューブ逆反射性要素によって光が逆反射されることになる。この列の中のそれぞれ異なる要素では、光を細長いパターンの形で拡散させるように、それぞれ異なる量だけ二面角が増大させられてもよいということが想定されている。米国特許第３，８３３，２８５号における発明に関する構成の方法は、プラスチック薄片または金属箔を型押しするために使用される型を作成することである（Ｈｅｅｎａｎの米国特許第３，８３３，２８５号の第４欄５８行から第５欄１１行までを参照されたい）。
【０００６】
　Ａｐｐｌｅｄｏｒｎの米国特許第４，７７５，２１９号が、コーナーキューブ逆反射性物品によって逆反射される光を所望のパターンすなわち分散プロファイルの形に分散させるために、そのコーナーキューブ逆反射性物品をどのように個別的に調整するかについて説明している。米国特許第４，７７５，２１９号に示されている逆反射性物品は、その片方の側面に、互いに交差する３つの組の平行なＶ字形の溝によって形成されているコーナーキューブ逆反射性要素の配列を有し、これらの組のうちの少なくとも１つの組は、同じ組の別の溝側角（ｇｒｏｏｖｅ　ｓｉｄｅ　ａｎｇｌｅ）とは異なっている溝側角を反復パターンの形で含む。溝側角の反復的な変化の結果として、コーナーキューブ逆反射性要素の配列は、複数の特有の形状で複数のコーナーキューブ逆反射性要素を各々が備える反復する下位配列の形に分割される。これらの特有の形状のうちの少なくとも１つの形状は、非直交性のコーナーキューブ逆反射性要素のためのものであり、この「非直交性のコーナーキューブ逆反射性要素」という表現によって、その要素の少なくとも１つの面が、その要素の内部の全ての二面角が直交であるために必要とされる角度とは異なる角度で傾斜しているということが意味されており、こうした要素は、理想的なコーナーキューブ逆反射性要素に形状と機能とにおいて極めて類似しているので、本明細書では依然としてコーナーキューブ逆反射性要素と見なされている。光の全体的パターン、すなわち、その物品に関する拡散プロファイルは、下位配列中の特有の形状のコーナーキューブ逆反射性要素が入射光を逆反射するそれぞれ異なる光パターンの合計を含み、および、個々の特有の形状の光パターンは、光の全体的パターンに所望の形状すなわち輪郭を与えるように選択されることが可能である。米国特許第４，７７５，２１９号における発明に関する構成の方法は、逆反射性物品が注型、型押し、または、他の仕方で成形される際に使用できる型のための原型として使用するプレートを罫書くことである（Ａｐｐｌｅｄｏｒｎの米国特許第４，７７５，２１９号の第１０欄６３行から第１１欄１２行までを参照されたい）。
【０００７】
　Ｂｅｎｊａｍｉｎの国際公開第００２３８２８号公報が、回転対称という特徴と、微小球に基づくコーナーキューブ逆反射性物品の入射角（entrance angularity）と同じ入射角という特徴とを有する、コーナーキューブ逆反射性物品を提供する発明を開示している。こうした特徴は、典型的には本質的に２つのコーナーキューブ要素が直接的に接合されることがないように、かつ、典型的には２つの互いに隣接するコーナーキューブ要素が互いに同一の方向配置にあることがないように、コーナーキューブ要素をランダムに方向配置することによって実現される。この仕方で構成される物品は、微小球に比較してコーナーキューブ要素がより高い逆反射効率を有するので、微小球に基づく物品よりも増大した輝度を有するであろう。
【０００８】
　「逆反射性材料」に関するＲｏｗｌａｎｄの米国特許第３，６８４，３４８号は、非平面の支持表面に形状的に合致して接着するコーナーキューブを使用して、可橈性の逆反射性の成形材料を提供することであった。この逆反射性材料は非常に適切に機能してきたが、この材料で作られたテープマスクを自転車のハンドルバーの周りに螺旋状に巻き付ける場合のように、支持表面に対する貼り付けの際に引き伸ばされると、そのコーナーキューブが変形させられることが発見されている。このことが、コーナーキューブ面を幾分か非直交にし、その結果として輝度の著しい損失を生じさせる。
【０００９】
　「伸張が調整されている逆反射性シート材料とその製造方法」に関するＲｏｗｌａｎｄの米国特許第３，９９２，０８０号が、張力が掛かった状態で支持表面に対して容易に貼り付けられ、かつ、予め決められた量だけ伸張される時に優れた逆反射を実現するコーナーキューブ逆反射体を使用する、新規の伸張可能な逆反射性シート材料を提供する。これは、伸張が調整されている細長い逆反射性シート複合材料において容易に得られる。この複合材料は、弛緩状態時には第１のストリップよりも長さが短い可橈性裏材料の第２のストリップに接着されている一方の表面上に、第２のストリップに隣接して配置されている複数の微小なコーナーキューブ形成物を有する、透明な可橈性合成樹脂の第１のストリップを備えている。この逆反射性シート複合材料は弛緩状態においては皺が寄っているが、これは、こうした皺が寄った状態を取り除くことが、その複合材料の所望の度合いの伸長を視覚的に測定してコーナーキューブ形成物の変形を防止することを可能にするからである。
【００１０】
　概略的に述べると、コーナーキューブパターンのそれぞれの変更に新たな型要素、成形用雄型要素、または、押型要素が必要であり、こうした要素を作ることは高コストであり時間を要する。さらに、コーナーキューブ物品は、いったん作られてしまうと、状態および要件の変化に適応不可能である。
【発明の開示】
【発明が解決しようとする課題】
【００１１】
　本発明は、所望のコーナーキューブパターンを生じさせるために、コーナーキューブ逆反射体内においてコーナーキューブ面が互いに対する様々な永久的な角度関係を形成するように、非弾性的な伸張によってコーナーキューブ物品を変形させることによって有効なコーナーキューブパターンを得るための、より低コストで、かつ、手間がより少ない方法を開示する。さらに、一時的な所望のパターンを生じさせるためにコーナーキューブ逆反射体内でコーナーキューブ面が互いに対して様々な一時的な角度関係を形成するように、コーナーキューブパターンが弾性的に伸張されてもよい。さらに、このコーナーキューブ物品は、その物品を伸張させるために必要な力を減少させるために加熱されてもよい。さらに、このコーナーキューブ物品は、伸張させられずに加熱されてもよい。逆反射性物品の中には、伸張させることなく加熱することによって真の逆反射体に近づくものがあるということが発見されている。
【課題を解決するための手段】
【００１２】
　本発明の１つの側面では、複数のコーナーキューブ逆反射体を有する改変された逆反射性スクリーンを製造する方法が提供され、この方法は、
　複数のコーナーキューブ逆反射体を有するウェブを用意する段階と、
　コーナーキューブ逆反射体の形状を変化させるように、そのウェブに対して少なくとも１つの方向において張力を加える段階
とを含む。
【００１３】
　本発明の別の側面では、複数のコーナーキューブ逆反射体を有する逆反射性スクリーンから様々な反射画像形状を提供する方法が提供され、この方法は、
　複数のコーナーキューブ逆反射体を有するウェブを用意する段階と、
　複数のコーナーキューブ逆反射体の形状を調整することが可能であるように、少なくとも１つの方向においてそのウェブに加えられる張力の量を調整する段階
とを含む。
【００１４】
　本発明のさらに別の側面では、逆反射画像を投射するシステムが提供され、このシステムは、
　複数のコーナーキューブ逆反射体を有する逆反射性スクリーンと、
　複数のコーナーキューブ逆反射体の形状を調整することが可能であるように、調整された量の張力を少なくとも１つの方向においてスクリーンに対して加える張力付与装置と、
　目視者による目視のために逆反射性スクリーン上に立体視画像を投射する１対のプロジェクタ
とを含む。
【００１５】
　本発明のさらに別の側面では、複数の改変されたコーナーキューブ逆反射体を有する改変された逆反射性ウェブを製造する装置が提供され、この装置は、
　複数のコーナーキューブ逆反射体を有する材料のウェブを保持する第１の供給ロールと、
　第１の供給ロールからウェブを受け取る第２の巻取りロールと、
　改変されたコーナーキューブ逆反射体が形成されるようにウェブに張力を加えるために、第１の速度で第１の供給ロールにおいてウェブを動かし、かつ、より高速の第２の速度で第２のロールにおいてウェブを動かす駆動機構
とを含む。
【００１６】
　本発明の別の側面では、複数のコーナーキューブ逆反射体を有する改変された逆反射性スクリーンを製造する装置が提供され、この装置は、
　複数のコーナーキューブ逆反射体を有する材料のシートを保持する保持機構と、
　コーナーキューブ逆反射体の形状を変化させるように、少なくとも１つの方向においてそのシート上に張力を加える張力付与機構
とを含む。
【００１７】
　本発明のさらに別の側面では、炉内に入れられるように設計されている、複数の改変されたコーナーキューブ逆反射体を有するシートを製造する装置が提供され、この装置は、
　そのシートを保持する保持機構と、
　コーナーキューブ逆反射体の形状を変化させるように、少なくとも１つの方向においてそのシート上に張力を加える張力付与機構
とを含む。
【００１８】
　本発明のこれらの側面と目的と特徴と利点と、その他の側面と目的と特徴と利点とが、添付図面を参照しながら、本発明の好ましい実施形態の以下の詳細な説明と添付された特許請求項とを検討することによって、より明瞭に理解され認識されるであろう。
【００１９】
　以下に示す本発明の好ましい実施形態の詳細な説明では、添付図面を参照する。
【発明を実施するための最良の形態】
【００２０】
　図１は、複数のコーナーキューブ逆反射体を有する改変された逆反射性スクリーンを製造する装置１００の概略図であり、この図では複数のコーナーキューブ逆反射体の初期形状が示されている。図１では、逆反射性材料で作られているウェブ１２５が示されており、このウェブ１２５はＭｙｌａｒで作られている。ウェブ１２５は、約１００ミクロンから約５００ミクロンの範囲内のサイズを有する実質的に三角形の形状を各々が有する複数の逆反射体を有する。図９がこのコーナーキューブ逆反射体の初期形状を示し、図１０が、本発明によって作られた改変されたコーナーキューブ逆反射体の形状を示している。ウェブ１２５が約０．００２５４ｍｍ（０．１ｍｉｌ）から約０．０１２７ｍｍ（０．５ｍｉｌ）の範囲内の厚さを有するように作られていることが好ましい。複数のコーナーキューブ逆反射体を有するウェブを提供する供給スピンドル１５０上のウェブ供給ロール１６０から、ウェブ１２５が供給空転ローラ１４５の周りを通り、加熱ステーション１１６を通過し、巻取り空転ローラ１１０の周りを通って巻取りスピンドル１７０上の巻取りロール１６５に搬送されている時に、約１１０℃から約１３０℃の範囲内の温度にウェブ１２５の温度を上昇させるのに十分な量の熱がウェブ１２５に加えられるように、ウェブ１２５が加熱器１１５によって加熱される。ウェブ供給ロール１６０は、巻取りロール１６５におけるウェブ１２５の巻取り速度Ｖ２よりも低いウェブ１２５の速度Ｖ１を生じさせる。これは、ウェブ１２５上の上記コーナーキューブ逆反射体の形状を変化させるように、少なくとも１つの方向においてウェブ１２５に張力を加える。加えられるこの張力の量は、ウェブ１２５の材料の張力が取り除かれてウェブ１２５が加熱器１１５と供給ロール１６０との間で弾性的に伸張する時に、予め決められた逆反射画像形状を実現するように決定されている。ウェブ１２５は、さらに、加熱器１１５と巻取りロール１６５との間で弾性的に伸張する。しかし、上記張力をウェブ１２５に加えている最中に熱がウェブ１２５に加えられるので、ウェブ１２５は加熱領域１２０内において弾性的にかつ非弾性的に均一に伸張する。ウェブ１２５の温度を約１１０℃から約１３０℃の範囲内の温度に上昇させるのに十分な量の熱が加えられる。この非弾性的な伸張は、ウェブが巻取り空転ローラ１１０の周りを通過する時に約１％から約５％の範囲内の最小アイクロストーク（eye crosstalk）（ｗｒｏｎｇ　ｅｙｅに到達する入射画像）が得られる形で上記コーナーキューブ逆反射体の角度が変化させられるように、ウェブ１２５において設定されている。張力が加えられている時に上記逆反射パターンの形状が監視されるように、逆反射パターン検出装置１３０が備えられてもよい。この装置１３０は、コーナーキューブ逆反射体の実際の形状に関係付けられることが可能な伸張の量を監視することもできる。ローラ１４５におけるウェブ１２５の供給速度Ｖ１と、ローラ１１０におけるウェブ１２５の速度Ｖ２は、上記予め決められた逆反射画像が得られるまで張力を次第に増加させながら加える形で制御される。
【００２１】
　図２及び３は、複数のコーナーキューブ逆反射体の初期形状が約１００ミクロンから約５００ミクロンの範囲内のサイズを有する実質的に三角形の形状である、本発明による複数のコーナーキューブ逆反射体を有する改変された逆反射性スクリーンを製造する別の装置２０１を示す。図３では、装置２０１で使用するための逆反射性材料のシート２２５が示されており、シート２２５はＭｙｌａｒで作られており、約０．００２５４ｍｍ（０．１ｍｉｌ）から約０．０１２７ｍｍ（０．５ｍｉｌ）の厚さを有する。再び図３を参照すると、シート２２５は、このシート２２５が装置２０１の張力ばね２０５によって伸張させられている時に約１１０℃から約１３０℃の範囲内の温度にシート２２５の温度を上昇させるのに十分な量の熱が加えられるように、炉２５５内で加熱されている装置２０１内に入れられている。特に、シート２２５の一方の端部２０７がばね仕掛けの引張り棒２１５に取り付けられており、シート２２５の他方の端部２４７がピボット棒２３５に取り付けられている。張力ばね２０５は、ばね仕掛けの引張り棒２１５に取り付けられ、さらにベースプレート２３０にも取り付けられている。ピボット棒２３５は、そのピボット棒２３５がピボットピン２５０を中心として回転自在であるようにピボットピン２５０を介してベースプレート２３０に取り付けられている。組み立てられたシステム２４５が炉２５５内で上記温度に加熱される時に、左側止め具２００と右側止め具２１０との配置によって画定されている予め決められた長さにシート２２５が弾性的にかつ非弾性的に伸張するのに十分な張力が掛かっている状態で、張力ばね２０５が取り付けられている。その次に、システム２４５は炉２５５から取り出されて、冷まされる。張力ばね２０５を取り外すことによってシート２２５から張力が取り除かれると、シート２２５の非弾性的な伸張が、上記コーナーキューブ逆反射体の角度を約１％から約５％の範囲内で変化させ、逆反射画像の所望の光拡散を生じさせる。
【００２２】
　図４を参照すると、この図には、複数のコーナーキューブ逆反射体を有する逆反射性スクリーンから、様々な反射画像形状を有する改変された逆反射性スクリーンを作る別の方法が示されている。この方法では、複数のコーナーキューブ逆反射体を有するシート３２０が装置３０２内で提供される。図９に図示されている通りに、上記複数のコーナーキューブ逆反射体の初期形状が約１００ミクロンから約５００ミクロンの範囲内のサイズを有する実質的に三角形の形状である、上記複数のコーナーキューブ逆反射体の形状を調整することが可能であるように、調整された量の張力がシート３２０に対して少なくとも１つの方向に加えられる。シート３２０は逆反射性材料で作られており、この図示されている実施形態ではシート３２０はＭｙｌａｒで作られており、約０．００２５４ｍｍ（０．１ｍｉｌ）から約０．０１２７ｍｍ（０．５ｍｉｌ）の範囲内の厚さを有する。シート３２０は弾性的に伸張させられ、所望の逆反射イメージエリア（retroreflective　image　area）を室温で提供するように張力が特定の所望の張力に維持される。シート３２０の一方の端部３１７が電動張力棒３１５に取り付けられており、シート３２０の他方の端部３２７がピボット棒３３５に取り付けられている。リニア駆動部材３０５が電動張力棒３１５に取り付けられおり、さらにリニア駆動モータ３００にも取り付けられている。リニア駆動モータ３００はベースプレート３２５にも取り付けられている。ピボット棒３３５は、そのピボット棒３３５がピボットピン３４０を中心として回転自在であるように、ピボットピン３４０を介してベースプレート３２５に取り付けられている。同様に、電動張力棒３１５は、モータ駆動張力棒３１３が駆動ピボットピン３１０を中心として回転自在であるように駆動ピボットピン３１０を介してリニア駆動部材３０５に連結されている。上述の構成が、シート３２０の幅全体にわたって張力を加える力を均等化する。リニア駆動部材３０５がリニア駆動モータ３００に連結されている。リニア駆動モータ３００の基部がベースプレート３２５に取り付けられている。リニア駆動モータ３００は、上記複数のコーナーキューブ逆反射体の形状を調整することが可能であるように、前記シート３２０に対して少なくとも１つの方向に加えられる張力の量を制御するのに十分な力を提供する。この張力は、所望の逆反射イメージエリアを提供するように特定の所望の張力に維持される。さらに、上記スクリーンが使用中である間に上記逆反射イメージエリアの形状を変更するために、張力を変化させることが可能である。
【００２３】
　図５と図６は、複数のコーナーキューブ逆反射体を有する逆反射性スクリーンを備える、逆反射画像を投射するための本発明によるシステム４００を図示す。システム４００では、張力付与装置／モータ３００が、上記複数のコーナーキューブ逆反射体の形状を調整することが可能であるように、調整された量の張力を少なくとも１つの方向においてスクリーンに対して加えるために使用される。１対のプロジェクタ４５０が、目視者４４０による目視のために逆反射性スクリーン３２０上に立体視画像を投射するために設けられている。同じ番号が、上述した部品および動作と同じ部品および動作を表している。理解しやすいように、幾つかの要素は図示していない。逆反射性シート３２０には張力が掛けられており、ベースプレート３２５に取り付けられているリニア駆動モータ３００によって弾性的に伸張されている。画像目視システム３３０を形成するために、シート３２０の一方の端部がリニア駆動モータ３００に取り付けられており、シート３２０の他方の端部がベースプレート３２５に取り付けられている。目視者４４０は、右目用プロジェクタ４５０と左目用プロジェクタ４３５とによって生成されたシート３２０上の画像を観察する。後述する通りに、図１１と図１２とに図示されているように、右目用プロジェクタ４５０による逆反射パターンが目視者４４０の右目だけによって目視され、かつ、左目用プロジェクタ４３５による逆反射パターンが目視者４４０の左目だけによって目視されるように、張力がシート３２０に加えられる。
【００２４】
　コーナーキューブスクリーン上への画像の投射のために、スクリーンは、投射レンズの射出ひとみ（ｅｘｉｔ　ｐｕｐｉｌ）の「画像」をその投射レンズの射出ひとみ上に効果的に再び形成する。内側表面が反射性でありかつ９０度の角度で互いに交差する３面コーナーキューブ逆反射性要素に光線が入射する時に、入射光はそのキューブの内壁から反射して、そのキューブの中に光線が導入される方向と同じ方向に出ていく。コーナーキューブスクリーン材料は、多数のこうした小さいコーナーキューブ要素で構成されている表面を有する。図７のクロスハッチング部分が、プロジェクタ４０に対して生じさせられる反射イメージエリアを示している。
【００２５】
　コーナーキューブの交差の内角を９０度から選択的に変更することによって、コーナーキューブからの光線の出口経路が入口経路と異なるようにされ、反射された戻り光の経路が従来の逆反射条件から逸脱することを引き起こす。複数のこうした改変されたコーナーキューブを備える改変されたコーナーキューブスクリーンの場合には、その改変されたスクリーンから反射された光は、上述の投射レンズアセンブリ６０の隣接区域（および半径方向の周囲）に限定されたプロジェクタ出口の「画像」を形成することはない。その代わりに、その改変されたスクリーンは、プロジェクタ４０から投射レンズアセンブリ６０の周囲の区域に出ていく画像の反射「画像」を形成する。拡大された反射区域の性質は、９０度からのコーナーキューブ二面角の逸脱によって調整されることが可能である。この好ましい実施形態では、図８に最も適切に図示されているように、射出光線が、プロジェクタレンズ射出ひとみの平面内において、水平方向に引き延ばされたプロジェクタ射出ひとみの「画像」を形成するように、コーナーキューブ二面角の角度が変更される。理解できるように、改変されたコーナーキューブの反射画像は、標準的なコーナーキューブの概ね円形の反射イメージエリア７２とは違って、プロジェクタレンズアセンブリ６０を中心とした細長いイメージエリア７０（図にクロスハッチングによって示されている）を形成する。従来技術のコーナーキューブ表示スクリーンの円形区域は、反射画像がその関連のプロジェクタに向かって反射されるので、目視者に適した仕方で目視されることがない。本発明にしたがって作られた改変されたコーナーキューブ逆反射性スクリーンを使用する場合とは対照的に、単一の近接したプロジェクタからの反射画像を目４４が容易に目視することが可能であるように、プロジェクタ４０が、そのプロジェクタ４０に関する反射イメージエリア７０の一部分が近接している目４４をその範囲に含む形で、頭部４８に近接して配置されている。
【００２６】
　図９は、図１１によって図示されている反射イメージエリアを提供する、従来のコーナーキューブ逆反射性スクリーンからの要素を示す。図１０は、図１２に図示されている反射画像結果を提供することが想定される、本発明にしたがって作られた改変された逆反射性スクリーンからの要素を示す。米国特許第４，７７５，２１９号は、図１０に示されているタイプの改変されたコーナーキューブ逆反射体要素の製造のための工作機械器具一式の準備を開示している。図１０の要素は、角度αが図９の９０度の角度βよりも大きいので、図９の従来の要素とは異なっている。９０度からの角度αの逸脱が、プロジェクタレンズアセンブリ６０の「画像」の逆反射の上述の水平方向の伸長が実現されるように真の逆反射からの逸脱を引き起こす。
【００２７】
　図１１は、どのようにして従来のコーナーキューブ逆反射性材料８０のスクリーンが投射光ビーム８２を実質的に投射レンズ４１に戻すかを図示する。図１２は、改変されたコーナーキューブ逆反射性スクリーン材料のスクリーン１４上に投射された画像が、他方の目を横切ることなしに、したがって左側の画像と右側の画像とのクロストークを最小限にする形で、プロジェクタ３８、４０の各々に最も近い目を範囲内に含む十分に細長いイメージエリアとして反射されるということを図示している。したがって、改変された逆反射性スクリーン１４からの光は、そのスクリーンによって目視者１６の両眼４４に対して直接的に戻される。
【００２８】
　本発明の範囲から逸脱することなしに様々な改変と変更が加えられてもよく、および、本発明が下記の特許請求項によって定義されるということを理解されたい。
【図面の簡単な説明】
【００２９】
【図１】本発明による逆反射性スクリーンを製造する装置の概略図である。
【図２】本発明による逆反射性スクリーンを製造するための装置の概略図である。
【図３】本発明による逆反射性スクリーンを製造するための装置の概略図である。
【図４】本発明による逆反射性スクリーンを製造するための装置の概略図である。
【図５】本発明にしたがって作られている逆反射性目視システムの概略図である。
【図６】図５のシステムの平面図である。
【図７】従来技術の逆反射性スクリーンがどのように光を投射源に直接戻すかを図示する正面図である。
【図８】本発明の逆反射性スクリーンがどのように光を目視者の目に戻すかを図示する正面図である。
【図９】従来技術の改変されていないコーナーキューブスクリーン要素の詳細図である。
【図１０】本発明による改変されたコーナーキューブスクリーン要素の詳細図である。
【図１１】従来技術の逆反射性スクリーンがどのように光を投射源に直接戻すかを図示する概略図である。
【図１２】本発明の逆反射性スクリーンがどのように光を目視者の目に戻すかを図示する概略図である。
【符号の説明】
【００３０】
１４…改変された逆反射性スクリーン
１６…目視者／目視者の頭部
３８、４０…画像プロジェクタ
４１…投射レンズ
４４…目視者の目
４８…目視者の頭部
６０…レンズアセンブリ
７０…円形の反射イメージエリア
７２…円形のイメージエリア
８０…通常の逆反射体スクリーン
８２…光ビーム
１０１…巻取り速度Ｖ２
１１０…巻取り空転ローラ
１１２…ヘッドバンド
１１５…加熱器
１１６…加熱ステーション
１２０…加熱領域
１２５…ウェブ
１３０…パターン検出装置
１３５…供給速度Ｖ１
１４５…供給空転ローラ
１５０…供給スピンドル
１６０…供給ロール
１６５…巻取りロール
１７０…巻取りスピンドル
２００…左止め具
２０５…張力ばね
２０７…シート２２５の一方の端部
２１０…右止め具
２１５…ばね仕掛けの張力棒
２２０…炉内への移動
２２５…シート
２３０…ベースプレート
２３５…ピボット棒
２４０…ベースプレート
２４５…組み立てられたシステム
２４７…シート２２５の他方の端部
２５０…ピボットピン
２５５…炉
３００…リニア駆動モータ
３０５…リニア駆動部材
３１０…駆動ピボットピン
３１３…モータ駆動張力棒
３１５…電動張力棒
３１７…シート３２０の一方の端部
３２０…シート
３２５…ベースプレート
３２７…シート３２０の他方の端部
３３０…画像目視システム
３３５…ピボット棒
３４０…ピボットピン
４００…システム
４３５…左目用プロジェクタ
４４０…目視者
４５０…右目用プロジェクタ
【図１】
2004133453.tif 000003
【図２】
2004133453.tif 000004
【図３】
2004133453.tif 000005
【図４】
2004133453.tif 000006
【図５】
2004133453.tif 000007
【図６】
2004133453.tif 000008
【図７】
2004133453.tif 000009
【図８】
2004133453.tif 000010
【図９】
2004133453.tif 000011
【図１０】
2004133453.tif 000012
【図１１】
2004133453.tif 000013
【図１２】
2004133453.tif 000014